Podtech/llm-jp-corpus-v4-ja_patent huggingface dataset:
(57)【要約】【課題】ルアー用釣り針を安定して保持することができ、安全に釣り針の交換作業と手入れを行うプライヤーを提供する。【解決手段】１の三角形に凹んだ部分に対して、２の三角形に飛び出た部分が、釣り針の形状に沿って挟み込み、凹んだ三角形中央に縦長の溝の間を、凹んだ三角形状側に向いた針が通過することにより安定して、釣り針を保持する。【選択図】図２
0003181444.tif 000002
【実用新案登録請求の範囲】
【請求項１】
三角形に凹んだ片側に対して、三角形に突き出た凸側が凹部に合わさり、凹んだ片側に縦長の溝を設けることにより、挟み込んだ釣り針が凹側プライヤー本体を通過することによって、釣り針を固定できることを特徴とするプライヤー。
【考案の詳細な説明】
【技術分野】
【０００１】
本考案は、ルアーに使用される釣り針を安定して挟み込むことができるようにしたプライヤーである。
【背景技術】
【０００２】
釣具用として提供されるプライヤーは、基本的な形状及び構造が水平に挟みこむだけの物が提供されていた。
【考案の概要】
【考案が解決しようとする課題】
【０００３】
本考案は、プライヤー本体の挟む形状を、針の形状に合わせた形にすることで問題点を解決し、安定して釣り針を押さえ込む構造によって釣り針の手入れや釣り針の交換を行えるものである。
【課題を解決するための手段】
【０００４】
本考案のルアー用釣り針プライヤーは、プライヤー本体にある挟み込む形状を三方向へ別れた釣り針に合う形状となり、片側に釣り針が本体を通過する形状となる。
【考案の効果】
【０００５】
釣り針本体を挟み込む部分を、三角形状にすることにより、挟み込んだ釣り針が左右に動くことなく針先の手入れ及び針本体の交換作業を安全に行うことができる。
【図面の簡単な説明】
【０００６】
【図１】１、２は、それぞれ本考案の斜視図である。
【図２】本考案のプライヤーに釣り針を挟んで使用する図である。
【図３】本考案のプライヤーを先端側から見た正面図である。
【図４】本考案のプライヤー本体を、側面から見た図である。
【考案を実施するための形態】
【０００７】
本考案プライヤーは、二つの三角型の形状部分によって釣り針本体を保持される。片側の中心部分に縦長の溝を設けた形状により釣り針の針先が本体中心部を通過し釣り針が見える構造。
【実施例】
【０００８】
以下、添付図面に従って説明する。１はプライヤー凹側三角形本体、２は凸側三角形本体で、この二つの部分によって釣り針本体を挟む構造となる。
【産業上の利用可能性】
【０００９】
本考案の一実施例は、上述の如き構成からなるものであるから、プライヤーで釣り針本体を挟み込み保持して、安全に針先を手入れすることができる。針本体の交換作業も安定して行える。寒い環境で手の震えにより釣り針を落とす心配がない。釣り針による指先の怪我を防ぐことができる。通常の釣り針のハリスの交換及び手入れ作業にも使用できる。夜間の針交換作業も容易に行うことができる。
【符号の説明】
【００１０】
１. プライヤー凹側
２. プライヤー凸側
【図１】
0003181444.tif 000003
【図２】
0003181444.tif 000004
【図３】
0003181444.tif 000005
【図４】
0003181444.tif 000006
(57)【要約】      （修正有）【課題】患者の体格に応じて安楽な体位となるように調整し、その体位を維持して固定可能な体位固定具及び体位固定補助具を提供する。【解決手段】体位固定具１は、複数の突起による凹凸面を有し、患者の後頭部を位置させる孔が形成されており、孔に後頭部を位置させることで、頭部の転動を抑え、頭部の自由な回動が抑止される。また、体位固定補助具４は、複数の突起による凹凸面を有し、体位固定補助具４の凹凸面と体位固定具１の凹凸面とを当接して体位を固定可能にする。【選択図】図５
0003181453.tif 000002
【実用新案登録請求の範囲】
【請求項１】
複数の突起による凹凸面を有し、患者の後頭部を位置させる孔が形成された、屈曲自在かつ略四角形状の体位固定具。
【請求項２】
複数の突起による凹凸面を有する略四角形状の体位固定補助具であって、
前記凹凸面と屈曲された請求項１記載の凹凸面とを当接して体位を固定可能にする体位固定補助具。
【考案の詳細な説明】
【技術分野】
【０００１】
本考案は、患者の体格に適応して安楽な体位を固定可能な体位固定具及び体位固定補助具に関する。
【背景技術】
【０００２】
仰臥位での手術を施す際には、頚部前屈かつ頭部後屈の体位とするために、頭の下に枕を入れることが多い。枕には、角枕、ゴム製の枕、ドーナツ型の枕などがあるが、頭部の転動を抑え、頭部の自由な回動が抑止されるようになっているものが好ましい。これは、通常、人体では、頭の向きと身体の向きが一致するような性状があるため、頭部の回動が抑止されることにより患者の身体の転動を防止できるとされているからである。
【考案の開示】
【考案が解決しようとする課題】
【０００３】
しかしながら、既成の枕によっては、様々な患者の体格に適応することができず、最適な体位によって手術が行われているとはいえなかった。また、ドーナツ型（円座）の枕は、手術中に患者の頭部に褥瘡が発生することもあった。
【０００４】
本考案は、このような点に鑑みてなされたものであり、その目的は、患者の体格に応じて安楽な体位となるように調整し、その体位を維持して固定可能な体位固定具及び体位固定補助具を提供することにある。
【課題を解決するための手段】
【０００５】
以上のような課題を解決するために、本考案は、以下のものを提供する。
【０００６】
（１）  複数の突起による凹凸面を有し、患者の後頭部を位置させる孔が形成された、屈曲自在かつ略四角形状の体位固定具。
【０００７】
本考案によれば、複数の突起による凹凸面が体にフィットするとともに、孔に患者の後頭部を位置させることで頭部の回動を抑止することができる。
【０００８】
（２）  複数の突起による凹凸面を有する略四角形状の体位固定補助具であって、前記凹凸面と屈曲された前記体位固定具の凹凸面とを当接して体位を固定可能にする体位固定補助具。
【０００９】
本考案によれば、凹凸面同士を当接することにより体位固定具と体位固定補助具のズレを防止し、体位を維持して容易に固定することができる。
【考案の効果】
【００１０】
以上説明したように、本考案の体位固定具によれば、頭部の回動を抑止するとともに、屈曲した厚みによって頚部前屈かつ頭部後屈の体位となるように容易に調整することができる。また、本考案の体位固定補助具によれば、体位固定具の屈曲領域を固定し、安楽な体位を維持することができる。
【図面の簡単な説明】
【００１１】
【図１】本考案の実施の形態に係る体位固定具の概略図である。
【図２】本考案の実施の形態に係る体位固定補助具の概略図である。
【図３】本考案の実施の形態に係る体位固定具又は体位固定補助具の断面図である。
【図４】本考案の実施の形態に係る体位固定具及び体位固定補助具の使用例である。
【図５】本考案の実施の形態に係る体位固定具及び体位固定補助具の使用例である。
【考案を実施するための最良の形態】
【００１２】
以下、図面に基づいて本考案の実施の形態を説明する。
【００１３】
図１は、本考案の実施の形態に係る体位固定具１の概略図であって、略四角形状の体位固定具本体２には、患者の後頭部（特に項部）を位置させる孔３が形成されている。体位固定具本体２は、屈曲自在でクッション性の良好な素材、例えばポリウレタン素材を用いることができる。ポリウレタン素材によって体圧分散に優れている。また、帯電防止加工や防水加工を施すことにより、手術中の使用も容易となる。
【００１４】
図２は、本考案の実施の形態に係る体位固定補助具４の概略図であって、略四角形状をなしている。体位固定補助具４は、屈曲自在でクッション性の良好な素材、例えばポリウレタン素材を用いることができる。ポリウレタン素材によって体圧分散に優れている。また、帯電防止加工や防水加工を施すことにより、手術中の使用も容易となる。
【００１５】
図３は、本考案の実施の形態に係る体位固定具１又は体位固定補助具４の断面図であって、体位固定具１及び体位固定補助具４は、複数の突起による凹凸面５を有している。なお、複数の突起は、図３に示す山形状の他、四角状など、種々の形状をとることができる。また、片面に凹凸面５を有し、その反対面は平坦面６であってもよく（図３（ａ））、両面に凹凸面５を有していてもよい（図３（ｂ））。
【００１６】
図４は、本考案の実施の形態に係る体位固定具１及び体位固定補助具４の使用例であって、角枕７の上部に体位固定補助具４を載せ、体位固定補助具４の上部に体位固定具１を載せて使用する。患者の後頭部を孔３に位置させ、角枕７や体位固定具１の屈曲位置を調整することにより、気道確保が行いやすい頚部前屈かつ頭部後屈の体位とする。
【００１７】
図５は、本考案の実施の形態に係る体位固定具１及び体位固定補助具４の使用例であって、体位固定補助具４の上部に体位固定具１を載せて使用する。患者の後頭部を孔３に位置させ、体位固定具１の屈曲位置を調整することにより、頚部前屈かつ頭部後屈の体位とする。なお、図４から図５の状態に移す際には、角枕７を除去するだけでもよい。
【産業上の利用可能性】
【００１８】
本考案に係る体位固定具及び体位固定補助具は、頭部の回動を抑止して安楽な体位を維持することができ、手術の迅速化に寄与することが可能なものとして有用である。
【符号の説明】
【００１９】
１  体位固定具
２  体位固定具本体
３  孔
４  体位固定補助具
５  凹凸面
６  平坦面
７  角枕
【図１】
0003181453.tif 000003
【図２】
0003181453.tif 000004
【図３】
0003181453.tif 000005
【図４】
0003181453.tif 000006
【図５】
0003181453.tif 000007
(57)【要約】      （修正有）【課題】使用済楊枝入れを提供する。【解決手段】受け部と、受け部を覆うカバー部を備える。カバー部には、使用済の爪楊枝を入れる投入口が複数設けられる。【選択図】図１
0003181411.tif 000002
【実用新案登録請求の範囲】
【請求項１】
使用済みの爪楊枝を受ける受け部とそれを覆うカバー部とを備えた使用済楊枝入れであって、前記受け部とカバー部とは分離可能で、かつ前記カバー部には使用済の爪楊枝を入れる投入口が複数設けられ、その投入口から使用済の爪楊枝を入れると前記受け部に使用済爪楊枝が落下、収納される形状である使用済楊枝入れ。
【請求項２】
前記受け部がお椀型であり、前記カバー部がそれを覆う蓋型であって、前記受け部と前記カバー部が上下に勘合されることを特徴とする請求項１に記載の使用済楊枝入れ。
【請求項３】
前記カバー部が箱型であり、前記受け部が前記カバー部の側面から出し入れ自在の引き出し型に形成され、かつ前記カバー部の上面には複数の桟が等間隔に設けられ、その桟と桟との間が前記投入口とされていることを特徴とする請求項１に記載の使用済楊枝入れ。
【考案の詳細な説明】
【技術分野】
【０００１】
本考案は楊枝を使用した後、その楊枝を廃棄する使用済楊枝入れに関するものである。
【背景技術】
【０００２】
従来は楊枝を使った後はテーブルの上にある灰皿に入れるか食事で使用した皿の上に置いていたが、皿を洗うときに楊枝を流して排水管を詰まらせていた。
【０００３】
その外にレストランや食堂から出る残飯は豚の餌として毎日専門の業者が回収に来るが楊枝などが入っていると言う苦情が出ていた。
【先行技術文献】
【特許文献】
【０００４】
ＩＰＤＬで検索したが見つけ出す事ができませんでした。
【考案の概要】
【考案が解決しようとする課題】
【０００５】
以上に述べた従来の楊枝の廃棄の方法では灰皿に入れるか、食事の食べかすといっしょに置いていたが最近は食堂・レストラン・家庭など殆どが灰皿を置いていないため食事の食べかすといっしょに置いているため食後の後片付けに時間と手間がかかっていた。
【０００６】
本考案はこのような問題を解決しようとするものであり、使用した楊枝を入れる使用済楊枝入れを提供する事を目的とする。
【課題を解決するための手段】
【０００７】
上記目的を達成するために本考案の使用済楊枝入れ１は楊枝を差し込む投入口２とその投入された楊枝を受け部６で受け、その楊枝を廃棄するための開閉溝３を備えている。
【考案の効果】
【０００８】
前記使用済楊枝入れ１をテーブル・食卓・カウンターなどの上に置くことにより食事の皿の中や灰皿に入れる事がなくなり清潔になった。
【０００９】
皿を洗うときに排水管を詰まらせる事がなくなった。
【図面の簡単な説明】
【００１０】
【図１】使用済楊枝入れの正面図。
【図２】使用済楊枝入れ上部のカバー部の正面図。
【図３】使用済楊枝入れ下部の受け部の正面図。
【図４】長方形の使用済楊枝入れの斜視図。
【考案を実施するための形態】
【００１１】
以下本考案を実施の形態を図１〜図４に基づいて説明する。
【００１２】
これらの図において使用済楊枝入れ１は、中空のボール状であって当該使用済楊枝入れ１は、上下に２分割可能な半球体を上・下に着脱自在に嵌合させたものであって当該使用済楊枝入れのカバー部５には、楊枝を差し込む投入口２を備えている。
【００１３】
前記使用済楊枝入れ１上部のカバー部５には、５ｍｍ〜１５ｍｍの投入口２を備えている。
【００１４】
又使用済楊枝入れ１の開閉溝３をねじれば上・下別々に離す事ができ、中の使用済楊枝を捨てる事ができる。
【００１５】
使用済楊枝入れ１の材質としては、プラスチック・ポリプロピレン・土器・ガラス・合成樹脂などが使用される。
【００１６】
使用済楊枝入れ１の下部受け部６の底面を水平状にしているのは、台の上などに置いても転がらないための水平状の底面。
【００１７】
図４の実施形態を説明する。この使用済楊枝入れ１は、長方形であり上部の使用済楊枝の投入口２は賽銭箱形であり、上部には複数の桟が等間隔に設けられ、その桟と桟の間が使用済楊枝の投入口２となっており、前記受け部９が前記カバー部の側面から出し入れ自在の引き出し形に形成されている。
【符号の説明】
【００１８】
１    使用済楊枝入れ
２    投入口
３    開閉溝
４    底面
５    カバー部
６    下部受け部
７    開閉溝に差し込む凸部
８    使用済楊枝
９    引出し形の受け部
【図１】
0003181411.tif 000003
【図２】
0003181411.tif 000004
【図３】
0003181411.tif 000005
【図４】
0003181411.tif 000006
(57)【要約】      （修正有）【課題】野菜・果物の皮屑が落下することなく、また、皮をむく際の野菜や果物の位置を気にすることなく、皮むき作業ができる屑入れ付きピーラーを提供する。【解決手段】ピーラー本体１と、蓋体２ａを有する透明な屑入れケースを固定手段３によって固定した構造からなり、ピーラー本体１の刃部１ａ付近に、屑入ケースの一部であって、ガイド板２ｃにより案内される屑の屑入れ口２ｄを設け、該屑入れ口２ｄに、前記刃部１ａを臨ませて設けて屑入れ付きピーラーとする。【選択図】図１
0003181402.tif 000002
【実用新案登録請求の範囲】
【請求項１】
ピーラー本体（１）と、
蓋体（２ａ）を有する透明な屑入れケース（２）を
固定手段（３）によって固定した構造からなり、
ピーラー本体（１）の刃部（１ｂ）付近に、屑入れケース（２）の一部であって、ガイド板（２ｃ）により案内される屑の屑入れ口（２ｄ）を設け、
該屑入れ口（２ｄ）に、前記刃部（１ｂ）を臨ませて設けたことを特徴とする
屑入れ付きピーラー。
【請求項２】
屑入ケース（２）の、ケース本体（２ａ）と蓋体（２ｂ）とが、螺合あるいは、嵌着・脱構造であることを特徴とする請求項１記載の屑入れ付きピーラー。
【考案の詳細な説明】
【技術分野】
【０００１】
この考案は、屑入れ付きピーラーに関するものであり、特に、野菜や果物の皮むきに使用するものである。
【背景技術】
【０００２】
従来、ピーラー（Peeler）は、主に、野菜・果物の皮むきを目的とする調理器具であり、比較的簡単に皮をむくことができるため、調理に便利なグッズである。
【０００３】
しかし、調理の下ごしらえ等の作業において、シンクや調理台上に野菜や果物等の皮屑が落ちてしまい、その都度、シンクや調理台上より拾い集めて掃除し、次の準備に取りかかることは、極めて煩雑な事であった。
【０００４】
そこで、むいた皮屑が、即時に容器に入れられるものを考えたが、ピーラーと、ピーラーでむいた皮を収納できる容器が一体となったものは存在した。例えば、特許文献１のように。
【０００５】
しかしながら、このピーラーの容器は、むいた際の皮屑を入れる容器が広く開口した構造のものであり、野菜・果物をむく際に、力が入ってしまうと、その反動で、皮屑は開口部からこぼれてしまうという欠点があった。
【０００６】
さらに、前記特許文献１のピーラーを進化させたものが、開示されているが、これも、皮屑を入れる容器の開口部が広く、特許文献１と同様のものであった。また、他の実施例のものは収納部が狭く、多く収納できるものではなかった。特許文献２のように。
【先行技術文献】
【特許文献】
【０００７】
【特許文献１】特開２００４−２２３２３１号公報
【特許文献２】特開２００５−００３４８７号公報
【考案の開示】
【考案が解決しようとする課題】
【０００８】
そこで、この考案は、上記課題を解決する為に考案されたものであり、野菜・果物の皮屑が落下することなく、また、皮をむく際の野菜や果物の傾斜角度を気にすることなく、皮むき作業ができる屑入れ付きピーラーを開発・提供する事にある。
【課題を解決するための手段】
【０００９】
課題を解決するための手段として、本考案は、屑入れケースの開口部を小さく・狭く形成し、また、どの方向で皮を剥いても落下することのないよう構成した屑入れ付きピーラーを考案するものである。
【考案の効果】
【００１０】
この考案によると、先ず、屑入れケースの開口部を小さく、狭く形成し、かつ、ガイド板を設けたことにより、確実に皮屑は収納出来るという極めて有益なる効果を奏する。
【００１１】
また、屑入れケースは、透明な素材で形成しているため、ピーラー部を覆っていても、屑入れケース越しに透けて見えるため、確実に皮むきができるという極めて有益なる効果を奏する。
【図面の簡単な説明】
【００１２】
【図１】この考案の一実施例を示す底面図である。
【図２】この考案の一実施例を示し、（Ａ）は、断面図であり、（Ｂ）は、図１（Ａ）中、ａ部分の一部欠截拡大断面図である。
【図３】この考案に使用する屑入れケースの一実施例を示し、（Ａ）は、断面図であり、（Ｂ）は、図３（Ａ）中、ｂ部分の一部欠截拡大断面図である。
【図４】この考案に使用する屑入れケースの他の実施例を示し、（Ａ）は、断面図であり、（Ｂ）は、図４（Ａ）中、ｃ部分の一部欠截拡大断面図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
そこで、この考案の一実施例を図１，図２に基づいて詳述すると、ピーラー本体（１）と、蓋体（２ａ）を有する透明な屑入れケース（２）を固定手段（３）によって固定した構造からなり、ピーラー本体（１）の刃部（１ｂ）付近に、屑入れケース（２）の一部であって、ガイド板（２ｃ）により案内される屑の屑入れ口（２ｄ）を設け、該屑入れ口（２ｄ）に、前記刃部（１ｂ）を臨ませて設けたことを特徴とする屑入れ付きピーラーから構成される。
【００１５】
尚、ピーラー本体（１）の形状（デザイン）は、種々存在しているが、その一例として図１に図示したものを示すものであり、この形状に限定されるものではなく、また、ピーラー本体（１）と、蓋体（２ａ）との固定手段（３）は、その一例としては、溶着、ビス止め等であり、その方法は特に限定しない。
【００１６】
さらに、屑入ケース（２）におけるケース本体（２ａ）と蓋体（２ｂ）とは、図３（Ａ），（Ｂ）に示すように、ケース本体（２ａ）の外周の上端部付近に膨出した突起条（２ｅ）を設け、蓋体（２ｂ）側には、その内周に前記突起条（２ｅ）に適合する凹溝（２ｆ）を全周に設け、嵌着脱するよう構成してもよい。
【００１７】
また、屑入ケース（２）におけるケース本体（２ａ′）と蓋体（２ｂ′）とは、図４（Ａ），（Ｂ）に示すように、ケース本体（２ａ′）の外周の上端部付近に雄ネジ（２ｇ）を設け、蓋体（２ｂ′）側には、その内周に前記雄ネジ（２ｇ）に適合する雌ネジ（２ｈ）を全周に設け、螺着脱するように構成してもよい。
【００１８】
次に、この考案の使用方法を説明すると、ピーラー本体（１）の柄部（１ａ）を一方の手で握り、他方の手に、野菜や果物（図示しない）を持ち、ピーラーの刃部（１ｂ）で野菜や果物の皮をむくと、皮屑は、図２（Ａ），（Ｂ）に示す矢印（Ｘ）方向にむけて自然に屑入れケース（２）のケース本体（２ａ）内に収納される。
【００１９】
そして、屑入れケース（２）内に皮屑がたまると、蓋体（２ｂ）を開いて、ごみ箱等に捨てるものである。
【産業上の利用可能性】
【００２０】
この考案の屑入れ付きピーラーの技術を確立し、これを製造・販売することにより産業上の利用可能性を有する。
【符号の説明】
【００２１】
１  ピラー本体
１ａ  柄部
１ｂ  刃部
２  屑入れケース
２ａ，２ａ′  ケース本体
２ｂ，２ｂ′蓋体
２ｃ  ガイド板
２ｄ  屑入れ口
２ｅ  突起条
２ｆ  凹溝
２ｇ  雄ネジ
２ｈ  雌ネジ
３  固定手段
Ｘ  矢印
【図１】
0003181402.tif 000003
【図２】
0003181402.tif 000004
【図３】
0003181402.tif 000005
【図４】
0003181402.tif 000006
(57)【要約】【課題】  誰でも簡単に音と音階を作り出せ、唾液の詰まりを取り除きが容易で、片手がマヒしていても持ちやすく優しい音が奏でられる、心と身体のリハビリ・機能回復に使用できる笛を提供する。【解決手段】  カップ状に形成された本体２の開口側に吹口１１となる栓３を嵌め込み、この栓３と本体２の内面との間にウインドウェイ１０を形成し、本体２の側面には音程に対応した複数個の指孔４，５を形成するとともに、本体２の底面に指孔６を形成している。【選択図】図４
0003181407.tif 000002
【実用新案登録請求の範囲】
【請求項１】
カップ状に形成された本体の開口側に吹口となる栓を嵌め込み、この栓と本体の内面との間にウインドウェイを形成し、前記本体の側面には音程に対応した複数個の指孔を形成するとともに、前記本体の底面に指孔を形成した笛。
【考案の詳細な説明】
【技術分野】
【０００１】  本考案は、２点の部材によって形成される笛に関するものである。
【背景技術】
【０００２】  一般に笛は、唄口から息を入れ、指孔を複雑に組み合わせ押さえることにより音階ができ、オカリナにあるように、陶土を成形し焼いて作られ、音響胴が密閉式を形成する素朴な楽器や、リコーダーのように合成樹脂などを成形した長い笛など、音域に応じ種々の大きさや形がある。【０００３】  このように笛には、様々な目的に応じた、音域、指孔、大きさ、さらには持ち方など多種多様である。【０００４】  従来から、オカリナの素朴な形の楽器が持ちやすい訳であるが、陶土を成形し焼いて作られるので製作に制約を受けることと、指孔を複雑に組み合わせることで、左右のどちらかの片手で持って演奏できるといったものではなかった。
【先行技術文献】
【特許文献】
【０００５】
【特許文献１】  特開平１１−２７２２６４号公報
【考案の概要】
【考案が解決しようとする課題】
【０００６】  解決しようとする問題点は、多岐の方が使用のため、保持の仕方、持ち方、唾液、息の強さ、咥え方など使用する人の条件がちがう点である。
【課題を解決するための手段】
【０００７】  本考案は、子どもやお年寄り、リハビリ・機能回復の医療の現場などに音を楽しみながら取り組める笛が無い所に提案することを最も主要な特徴とする。
【考案の効果】
【０００８】  本考案は、片手で保持しやすい笛の底面に指孔を形成したことで、手の甲にて押さえたり支えたりすることができ、音階が作れる。この事により、手・指先・肺呼吸など機能回復を笛の優しい音で楽しみながら、運動機能、脳機能を活性化できる。音楽・リハビリをグループで取り組むことも可能とする。
【図面の簡単な説明】
【０００９】
【図１】  笛の正面図
【図２】  笛の平面図
【図３】  笛の底面図
【図４】  笛のＡ−Ａ断面図
【考案を実施するための形態】
【００１０】  カップ状に形成された本体の開口側に吹口となる栓を嵌め込み、この栓と本体の内面との間にウインドウェイを形成し、前期本体の側面には音程に対応した複数個の指孔を形成するとともに、前記本体の底面に指孔を形成している。
【実施例】
【００１１】  図３に示すように、カップ状の本体２と、栓３の二つの部材から構成され、材質は例えば桜、胡桃、楓、花梨などの木材から選択される。【００１２】  カップ状の本体２の外形は、図１、図２にしめすように八角形に形成され、図３本体２開口部から共鳴空間８の位置や大きさを予め音程に応じて設定された円筒形のカップ状の空間が設けられている。なお、本体２の外形は四角形、楕円形、円形などに変形しても良い。【００１３】  栓３は、カップ開口部内側に嵌められ、底部は窓７上部まで達し、栓３上部は窓７と反対外側に本体２と共に傾斜し、栓３窓側の斜めに傾斜した部分と本体開口側内面との隙間にウインドウェイを形成し、吹口を構成する。【００１４】    指孔４，５は、本体２の窓７と一列に並べて、音程に応じて予め設定された位置や孔径が設けられている。また、位置や大きさは指使いや音程に応じて変更しても良い。【００１５】  指孔６は、カップ状の本体２の閉口側底面中心に位置し、大きさは音程に応じて予め設定された孔径が設けられている。また、大きさは指使いや音程に応じて変更できる。【００１６】  本体２開口部に向かってアーチ状の上部を形成する窓７と、本体２の開口部内側に斜めに傾斜したエッジ９部分とともに、本体２の指孔４，５と一列に並ぶ。【００１７】  このように、カップ状に形成された本体の開口側に栓を嵌め込んだ笛の吹口１１に息を吹き込むことにより、薄い板状になった息がウインドウェイ１０を出て、エッジ９の先端に当たり上下に分かれ空気の圧力により振動し、共鳴空間などの複雑な条件により心地よいまろやかな優しい音色が、片手だけでも奏でられる。【００１８】  また、紐穴１２に紐を通し、手を離しても身体に保持することができる。片手だけで扱える笛であるが、手を離したとき落とさないように、あるいは携帯保持できるように【００１９】  この実施例の笛は硬質木材がもっとも好ましいが、場合によっては金属、合成樹脂、陶土なども使用可能である。木製の場合には質感が柔らかく、角部をサンドペーパーなどで丸く形成することもでき、手に馴染むように容易に加工が行へ、肌触りもやわらかく、触れた時温かみを感じられ、仕上げのよごれ防止や保護オイルなどは自然素材の物で、蜜蝋クリームや、オリーブオイルなどが使用でき、自然の艶で人体への害も無い笛を提供する事ができる。【００２０】  本体閉口側底面に指孔６を形成したことで、健常者は左右どちらの手でも持つ事ができ、その指孔を開閉し音階が得られる。指に障害や手が不自由な方は、この指孔６だけを生かして、手の甲などを使って音階が構成する事ができ、指孔６をリハビリのために生かすことができる。また、テープなどで指孔６塞ぐと簡単な指使いの笛となる。人により咥え方がさまざまなので、指孔６は、唾液や遺物も出しやすく、最も特徴的な指孔６である。
【符号の説明】
【００２１】  １  笛
２  本体（カップ）
３  栓
４，５，６  指孔
７  窓
８  共鳴空間
９  エッジ
１０  ウインドウェイ
１１  吹口
１２  紐穴
【図１】
0003181407.tif 000003
【図２】
0003181407.tif 000004
【図３】
0003181407.tif 000005
【図４】
0003181407.tif 000006
(57)【要約】【課題】使用後の防塵作業服の廃棄処分時に、有害物質を発生させず、かつ除染作業中に付着した放射物質を拡散させないことを可能とする放射性物質除染作業用の防塵作業服を提供することを課題とする。【解決手段】防塵作業布の生地に生分解性の材質を使用した生地を用い、着脱のために必要となるジッパーは生分解性プラスチックを使用する。また、防麈作業服を構成する各部位は、生分解性糸で縫製を行う。伸縮を必要とする部分は天然ゴムを用いることで、防塵作業服全体が生分解性の性質を持つ。そのため埋め立て処分により放射性物質の再拡散を防ぎ安全に処分できる。【選択図】図１
0003181408.tif 000002
【実用新案登録請求の範囲】
【請求項１】
防塵作業布の生地に生分解性の材質を使用した生地を用い、着脱のために必要となるジッパーは生分解性プラスチックを使用する。また、防塵作業服を構成する各部位は、生分解性糸で縫製を行う。伸縮を必要とする部分は天然ゴムを用いることで、防塵作業服全体が生分解性の性質を持つことを特徴とする生物分解性放射性物質除染作業用防塵服
【考案の詳細な説明】
【技術分野】
【０００１】  この考案は、放射性物質除染作業に用いる防塵作業服に関する。
【背景技術】
【０００２】  従来の一般的に用いられている放射性物質除染作業に用いる防塵作業服は、防水、耐摩擦性、対引き裂き性に優れた特性をもつポリエチレン等を素材とした不織布を使用し、プラスチック製ジッパーを使用した使い捨ての作業服を使用する事が多かった。
【考案の概要】
【考案が解決しようとする課題】
【０００３】  しかしながら、以上の従来技術において放射性物質除染作業における防塵作業服は使い捨てが前提であり、多数の作業員が毎日の除染作業の際に数回着替えるため非常に多くの廃棄物が発生していた。また、放射性物質除染作業に用いられるポリエチレン素材は燃焼温度が非常に高く、高温焼却が可能な焼却設備を用いて焼却処分を行わなければ有害物質を発生することが知られていた。【０００４】  本考案による作業服は、放射性物質の除染作業時に使用する防塵作業服であるため使用後の作業服には放射性物質が付着している場合があり、焼却の際に出る煙に放射性物質が混入し大気に拡散してしまう恐れがあるため、特殊な集塵装置を取り付けた専用の焼却炉でなくては焼却ができず一般の焼却炉での焼却処分ができなかった。【０００５】  そこでこの考案は、使用後の防塵作業服の廃棄処分時に、有害物質を発生させず、かつ除染作業中に付着した放射物質を拡散させないことを可能とする放射性物質除染作業用の防塵作業服を提供することを課題とする。
【課題を解決するための手段】
【０００６】  以上の課題を解決するために、防塵作業布の生地に生分解性の材質を使用した生地を用い、作業者が着脱のために必要となるジッパーは生分解性プラスチックを使用する。また、防塵作業服を構成する各部位は、生分解性の性質を持つ糸を用いて縫製を行う。伸縮を必要とする部分は天然ゴムを用いることで、防塵作業服全体が生分解性の性質を持つ。【０００７】  防塵作業服全体が生分解性の性質を持つことで、使用後の処分時に焼却によらず埋め立て処分等を行う事で、防塵作業服が土中で微生物等により水と二酸化炭素に分解されるため廃棄時に有害物質を発生しないほか、付着した放射性物質を再拡散させないことで、環境に影響がなく安全に廃棄処理ができることを特徴とする放射性物質除染作業に用いる防塵作業服である。
【考案の効果】
【０００８】  この考案によれば、使用後の放射性物質除染作業用防塵作業服は埋め立て処分を行う事で水と二酸化炭素に分解され処分時に有害物質を発生しない。【０００９】また、防塵作業服に付着した放射性物質は布等が分解された時に放出されるが、埋め立てにより覆土されているため大気中に再拡散させることなく廃棄可能となる。
【図面の簡単な説明】
【００１０】
【図１】この考案の実施形態を表す図である。
【考案を実施するための形態】
【００１１】  この考案の一実施形態を、図１に示す。
生物分解性放射性物質除染作業用防塵作業服は生分解性生地１で作業服が構成され、着脱のために必要なジッパー２は生分解性プラスチックで作られたものを使用する。各部は生分解性の糸により縫製される。
【実施例】
【００１２】  この実施形態によれば、放射性物質除染作業用防塵服はすべてが生分解性物質で構成され、廃棄処分時に有毒ガスの発生もなく放射性物質の再拡散もない。【００１３】  図１の実施形態では生分解性プラスチックによる糸で縫製しているが、綿糸、絹糸等の生分解可能な天然素材の糸やその他の生分解可能な性質を持つ糸を用いた縫製でも良い。【００１４】  熱溶着可能な生分解可能な生地を用いた場合には糸による縫製を行わず、各部を熱溶着で縫製の代わりとしてもよい。糸を使わないことで縫い目による防塵性の低下がなく、かつ糸の構造は緻密であり分解が遅いため糸を使わないことで廃棄処分時に分解速度が向上する。【００１５】  放射性物質除染作業に用いる防塵作業服であるため、作業の要求基準に応じ防塵作業性を向上させるため縫い目を生分解性テープなどで覆うことで生分解性を維持しながら防塵性を高めることが可能となる。【００１６】  本考案では着脱のためジッパーを使用しているが、生分解可能な素材で作られたマジックテープやボタン等を用いてもよい。また、上下一体のつなぎではなく上下別の形態にすることで、着脱のためのジッパー等の装備を付加することなく防塵作業服を作成することも可能である。
【産業上の利用可能性】
【００１７】使用後の生物分解性放射性物質除染作業用防塵作業服は埋め立て処分により有害物質を出さないうえ、付着した放射性物質を再拡散することなく廃棄可能になる。【００１８】  本考案では埋め立てによる処分を前提としているが、焼却の際に有害物質を出さない部品で構成されるため放射性物質の再拡散のない焼却炉では焼却処分を行う事が可能である。また、生分解性素材はポリエチレン等の従来素材に比べ燃焼温度が低いため焼却炉の燃焼温度を低く抑えることが可能となる。【００１９】  使用後の生分解性作業服の埋め立てによる処分では、分解まで２年程度の時間が必要だが、生物分解性の性質から活性汚泥や堆肥菌を利用することで高速に処理が可能である。【００２０】  本考案は放射性物質除染作業用防塵服として考案されたものであるが、放射性物質を扱わない一般の防塵作業にも使用できる。
【符号の説明】
【００２１】      １  生分解性布
２  生分解性プラスチック製ジッパー
３  生分解性糸
【図１】
0003181408.tif 000003
(57)【要約】      （修正有）【課題】保温性と安全性がよく暖かく使い易いパジャマズボンを提供する。【解決手段】裾口に紐ストッパーｈを備えた紐ｆを通してあるパジャマズボンａは、使い易く保温機能と安全性が良く健康にいいパジャマズボンである。その機能の特性は、裾口の紐に取付けた紐ストッパーを開けば裾口に通してある紐を使って裾口を閉塞から必要な裾口巾まで自由に変えることが出来、紐ストッパーを閉じれば紐を固定出来る。即ち、裾口に通した紐と紐ストッパーで裾口巾を就寝中には必要な閉塞裾から起床時に必要な開口裾まで自由に変え固定することがワンタッチで出来ることである。紐ストッパーは小型で突起等は無く就寝中は裾の外側にあって足先に直接触れることはなく起床時も足甲の上にアクセサリー的に付けられており危険性はない。【選択図】図２
0003181404.tif 000002
【実用新案登録請求の範囲】
【請求項１】
裾口に紐ストッパーを備えた紐を通してあるパジャマズボンであって、当該紐ストッパーを開ければ当該紐を使い裾口を閉塞から必要な開口巾まで変更出来て、当該紐ストッパーを閉じれば当該紐を固定出来ることで裾口を閉塞を含む必要な裾口巾にワンタッチで変更及び固定が出来るパジャマズボン。
【考案の詳細な説明】
【考案の技術分野】
【０００１】裾口巾をワンタッチで変更出来るパジャマズボン
【考案の技術背景】
【０００２】    足先までを裾内に収めて就寝すれば暖かいことはよく知られている。その場合就寝中裾口から足先が布団の中へ露出しないことが必須であり、裾口を閉じた裾袋構造が最も適している。しかし起床時には裾口は開いていなければならない。
【先行技術】
【０００３】    先行技術には裾口からの足先露出を防ぎ安全に歩ける裾構造が多く提案されている。大別すると二種類の裾構造類型に分類出来る。（類型１．）は開口裾型で裾口をゴムで絞り適当な巾の開口裾口にしてゴムの緊締力で足の突き出しを防ぐ方法、（類型２．）は閉塞裾型でファスナーや布紐を結んで裾口を閉じ足の露出を防ぐ方法である。（類型１．）は就寝中足と布団との摩擦やゴムの劣化等で足突き出しを防げず、ゴム締め過ぎは血流障害の危険がある。（類型２．）は裾が袋構造になるので最も適しているようであるが裾の開閉操作が煩雑であることに加え、就寝中にファスナーは糸くず等を咬み込み易く、紐も誤って堅結びにすると簡単には解けなくなるなど、いずれも汎用には問題が多い。先行技術を特許及び実用新案の登録番号及び公報番号で示し同時それぞれの技術が提案する（裾構造の類型）を示す。
【先行技術文献１】
実開昭５３−１７４１５公報  （類型１．２）
【先行技術文献２】
実開昭５７−１３８９２１号  （類型２）
【先行技術文献３】
実開昭６２−３５１９        （類型２）
【先行技術文献４】
特許第３８４８３５９号      （類型２）
【先行技術文献５】
実開平０２−０５７９１５    （類型１）
【先行技術文献６】
実新登第３０５９５６９      （類型１）
【考案が解決しようとする課題】
【０００４】    パジャマズボンの裾口巾を簡単に変える方法を故障や人体に危険性のない材料を使って考案すれば、就寝時には足を裾袋に収め保温が出来て、起床時には裾口を開き足を出して歩行出来る保温性と安全性の良い暖かく使い易いパジャマズボンを作ることが出来る。
【課題を解決する為の手段】
【０００５】    本考案では、裾口に紐ストッパーを備えた紐を通してあるパジャマズボンを課題を解決する方法として提案する。当該紐ストッパーを開けば裾口に通してある紐を使って裾口を閉塞から必要な裾口巾まで自由に変えることが出来、閉じれば紐を固定出来る。即ち、裾口を閉塞裾から必要口径の開口裾までワンタッチで自由に変更出来ることが本考案の特長である。紐ストッパーには市販のプラスチック製コードストッパーが便利である。本考案の裾構造と各部詳細とを（図１）及び（０００７）図面の簡単な説明に記載した。
【考案を実施するための形態】
【０００６】    本考案の紐ストッパーを備えた紐を裾に通してある裾長パジャマズボンを着用すれば、就寝時には裾口を紐で閉じて袋構造（図２．Ａ）にして足を裾内に収め暖かく就寝出来る。起床時には閉塞裾をワンタッチで通常の開口裾に変え歩行が出来る。長い裾も脛部分で裾口を固定（図２．Ｃ）出来るので邪魔にならない、又冬寒い夜間には裾口を足先土踏まず部分（図２，Ｂ）で固定して踝脛部を裾内に入れ冷たい裾風を防ぐことが出来る。居間で部屋履きなど着用する時には脛部など自由な箇所で裾口を止めることが出来る。再度布団に入る時もワンタッチで開いた裾口を裾袋に変え、就寝中も紐が裾口を閉じ足が裾袋から出ることは無い。
【図面の簡単な説明】
【０００７】
【図１】裾口に紐（ｆ）を通し紐ストッパー（ｈ）を備えたパジャマズボン。裾口（ｅ）は裾巾（ｄ）と同じ巾であるが、裾口を紐で絞り込まれて見掛け上巾が本来の裾巾（ｄ）の半分程度になっている。ズボンの裾部（ｃ）は開口部を持つ裾の底（ｂ）であり就寝時には閉じた裾袋の底（図２Ａ）になる。
【図２】代表的な３種類の裾口と足との状況実施例  Ａ：就寝時裾袋状裾内での足と裾口の状況  Ｂ：冬寒い夜間、土踏まず部で裾口を固定する場合の状況  Ｃ：通常起床時に踝より上の脛部で裾口を固定する場合の状況  註１．）（Ｂ，Ｃ）の場合も足脛回り裾内の空気層は裾口が足に密着して外の冷気を遮断するので常に暖かい。註２．）（図２）に示すように紐ストッパーは小型で就寝中（あ２）は裾の外側にあって足先に直接触れることなく、起床時（Ｂ２，Ｃ２）も足先甲の上にアクセサリー的に付けられており歩行時の危険性は存在しない。
【符号の説明】ａ：  パジャマズボン本体
ｂ：  裾口調製用紐ストッパー付紐の紐を収める裾口紐通し部分
ｃ：：  紐ストッパー付紐でズボンの裾口が狭められた結果裾袋の底部の形になっている
ｄ：  ズボンの裾巾（通常６０ｃｍ前後）
ｅ；  本来（ｄ）と同じである裾口の巾が見かけ上裾巾調製紐で踵を通す程度の裾巾に絞られている
ｆ：  紐ストッパー付紐の裾口紐通し部内にある部分、ストッパーを開きこの部分の紐長さを変えて裾口巾を変える
ｇ：  紐ストッパーより外側の部分、長さは裾巾により変化する  紐ストッパーから紐が外れないように結び玉が作ってある
ｈ：  紐ストッパー、裾の紐通し部の外側で紐に付けてある
Ａ１，Ｂ１、Ｃ１  ：  着用裾口の平面図
Ａ２，Ｂ２、Ｃ２  ：  着用裾口の立面図
【図１】
0003181404.tif 000003
【図２】
0003181404.tif 000004
(57)【要約】      （修正有）【課題】着物を普段着として気軽に、かつファッショナブルに、着付け教室に通うことなく自分で簡単に着物を着ることができる様に構成した着物を提供する。【解決手段】各衿先２に一端部がそれぞれ取付けられた一対の紐３を有しており、各紐３の他端部を背中を回して前方でくくることにより着付けられるように構成している。衿先２に使用しない場合の紐を収納する収納部４を設けてもよい。別体の帯をさらに有し、この帯を巻くことによってくくり付けられた前記紐３が隠れるように構成してもよい。【選択図】図１
0003181438.tif 000002
【実用新案登録請求の範囲】
【請求項１】
各衿先に一端部がそれぞれ取付けられた一対の紐を有しており、各紐の他端部を背中を回して前方でくくることにより着付けられるように構成した着物。
【請求項２】
衿先に使用しない場合の紐を収納する収納部を設けている請求項１の着物。
【請求項３】
別体の帯をさらに有し、この帯を巻くことによってくくり付けられた前記紐が隠れるように構成した請求項１又は２記載の着物。
【考案の詳細な説明】
【技術分野】
【０００１】
この考案は着付けがいらず誰にでも早く簡単に着る事が出来るようにした着物である。
【背景技術】
【０００２】
従来、着物を着るには複数の腰紐や腰ベルト等の着付け具を用いて、衿合わせや褄の位置、おはしょりの形成などを考慮して着付けをしなければならず、熟練を要するとともに、着付けが充分でないと着付けた後も着崩れが心配であるなど着付けの際の困難さが着物を着る機会が減少する要因の一つとなっている。
【０００３】
「日本の伝統文化」とも言われる着物は「古来から変わらぬ伝統の民族衣装」と言われることがあるが、着物の姿は古墳、奈良、平安、鎌倉、室町、安土桃山、江戸の各時代にそれぞれの暮らしに合わせ大きな変化を遂げて来た。平安時代、十二単衣の肌着であった小袖が現在の着物へ変化したと言われ江戸時代中頃に現在の着物の基本が出来上がった。第二次世界大戦が勃発すると国民服が制定され、女性はもんぺでないと非国民とされたため、庶民の着物姿はほとんど見られなくなった。第二次世界大戦が終わった1945年以降の女性達は、空襲がなくなったので、所持していたが着られなかった和服を着るようになった。終戦直後にはもんぺを着る女性も多くいたが、貧しさと戦争を思い出させるもんぺはすぐに廃れていった。しかし、和服が高価であり着付けが煩わしいことなどが原因となってか、安価で実用的な洋服の流行には敵わず、徐々に和服を普段着とする人の割合は少なくなって行き、呉服業界(呉服業界とは、和服・反物の生産・販売の産業のこと)は不振に追い込まれた。呉服業界は、販売促進の目的で、種々の場面で必要とされる和服の条件というような約束事を作って宣伝した。このため、庶民は「和服は難しい」というイメージをより強く持つようになった。この結果、呉服業界はさらに不振になり、反物など織物生産を担う業界の倒産が相次ぎ着物を着る人は極端に少なくなってしまった。こうして着物は結婚式や成人式など特別な日に人に着付けてもらうものになってしまった。本案は制約の多い現状の着物を一人で着られるよう進歩させたもので有る。
【考案の概要】
【考案が解決しようとする課題】
【０００４】
本考案は高級・豪華なイメージの着物を普段着として気軽に、かつファッショナブルに、着付け教室に通うことなく自分で簡単に着物を着て楽しむことを目的とする。
【課題を解決するための手段】
【０００５】
この考案は、上記課題を解決すべくなされてものであって以下ような構成を有する。
１各衿先に一端部がそれぞれ取付けられた一対の紐を有している。、
２各紐の他端部を背中を回して前方でくくることにより着付けられるように構成している。
３衿先に使用しない場合の紐を収納する収納部を設けてもよい。
４別体の帯をさらに有し、この帯を巻くことによってくくり付けられた前記紐が隠れるように構成してもよい。
【考案の効果】
【０００６】
本案は以上の様な構造で、これを着用すると昔ながらのイメージでありながら新しい着物姿が簡単に誰にでも楽しむ事が出来る。体型が、ふくよかでも身長が異なっても、紐で調整が出来るので便利で有る。
自宅で洗濯できる綿素材は、暑い時には長襦袢を着なくても良い。寒いときには重ね着が出来る。現状の規則に縛られた隙のない着物ではなく誰でも自由に、早く、簡単に、綺麗に着用する事が出来る。「寝巻き」に形状が近いが、旅館の寝巻きを着られない人はいないことを考えても日本人のみならず全世界の人々がジャパネスク感覚で着ることが可能となり、全世界の人々に、和服の需要が著しく増加することが期待出来るものとなる。着物の丈は短くして帯飾りを付ける事でバリエーションが出せ、着物を幅広く楽しむことができる。
【図面の簡単な説明】
【０００７】
【図１】各衿先に一端部がそれぞれ取付けられた一対の紐を表わす図である。
【図２】各紐の他端部を持った状態を示す図である。
【図３】各紐を背中から前に回した状態を示す図である。
【図４】前方でくくることにより簡単に着付けができることを示す図である。
【図５】ガウンとして羽織る時等、衿先の紐が邪魔にならないよう紐を収納出来る穴を示す図である。
【図６】別体の帯を巻きくくり付けた紐を隠す状態を示す図である。
【図７】着物の丈を変え帯に飾りを付けた状態を示す図である。
【考案を実施するための形態】
【０００８】
以下に本考案の一実施形態を図面を参照して説明する。
本実施形態に係る着物１は図１に示すように各衿先２に一端部がそれぞれ取付けられた一対の紐３を有している。そして図２〜４に示すように各紐３の他端部を背中を回して前方でくくることにより着付けられるようにしてある。又、この実施形態では図１、図５に示すように衿先２に使用しない場合の紐３を収納する収納部４を設けている。この収納部４は衿先２の裏側に両端部を縫い付けた短冊状のものであり、その中間部に紐３を通して止めておくことができる。さらに図６、図７に示すように別体の帯を巻くことによってくくり付けられた紐３が隠れるようにしてもよい。このように現状の着物はおはしょりの処理とお太鼓帯の結びかたが難しい上、色々な制約が多く簡単には着られない。本考案はおはしょりのない対丈（ついたけ）で、衿先の紐をくくるだけで着る事が出来、着付け教室に通うこともなく着る事が出来る。
【図１】
0003181438.tif 000003
【図２】
0003181438.tif 000004
【図３】
0003181438.tif 000005
【図４】
0003181438.tif 000006
【図５】
0003181438.tif 000007
【図６】
0003181438.tif 000008
【図７】
0003181438.tif 000009
(57)【要約】      （修正有）【課題】傘の製造において特別な傘布を用意することなく、装飾効果を高めた傘を提供する。【解決手段】所定の傘骨組に傘布を張着した傘において、傘布が、中棒を中心に放射状に設けた傘骨の開傘状態に対応する三角形の傘面布１と、傘面布の側辺の長さに対応した細長帯状又は細長筒状の縁布とで形成されると共に、前記縁布を、傘布表面側で隣接傘面布の仕切りとなる筒状帯２に縫着して形成した。【選択図】図１
0003181316.tif 000002
【実用新案登録請求の範囲】
【請求項１】
所定の傘骨組に傘布を張着した傘において、前記傘布が、中棒を中心に放射状に設けた傘骨の開傘状態に対応する三角形の傘面布と、傘面布の側辺の長さに対応した細長帯状又は細長筒状の縁布とで形成されると共に、前記縁布を、傘布表面側で隣接傘面布の仕切りとなる筒状帯に縫着して形成したことを特徴とする傘。
【請求項２】
縁布と同一材質の布を、傘布の外周となる三角形の傘面布の底辺部に縁取りとなる筒状帯に縫着してなる請求項１記載の傘。
【考案の詳細な説明】
【技術分野】
【０００１】
本考案は、傘の装飾手段に関するものである。
【背景技術】
【０００２】
傘（洋傘）は周知のとおり中棒を中心に放射状に傘骨を開閉自在に設け、前記傘骨に傘布を貼着しているもので、傘布は二等辺三角形状で側辺間を逢着して形成しているものである。
【０００３】
そして前記の傘布の装飾効果を高めるために、傘布自体に図柄・模様を施したり（特許文献１）、三角形状の傘布を異なる二色に着色し（特許文献２）、或いは三角形状の傘布と同一形状の装飾パーツを傘布の一部に着脱自在に重ねて装着する（特許文献３）等の手段が提案されている。
【先行技術文献】
【特許文献】
【０００４】
【特許文献１】実開平３−９８６２２号公報。
【特許文献２】実開平４−４８１１号公報。
【特許文献３】実開昭６２−２６１７号公報。
【考案の概要】
【考案が解決しようとする課題】
【０００５】
前記のとおり傘布の装飾手段として従前より種々提案されている手段は、当該装飾を実現するために、特定の傘布を用意して傘を製造する必要があり、装飾手段としての汎用性に欠ける。そこで本考案は、傘の製造において特別な傘布を用意することなく、どの様な傘布に対しても装飾効果を高めることができる装飾手段を提案したものである。
【課題を解決するための手段】
【０００６】
本考案（請求項１）に係る傘は、所定の傘骨組に傘布を張着した傘において、傘布が、中棒を中心に放射状に設けた傘骨の開傘状態に対応する三角形の傘面布と、傘面布の側辺の長さに対応した細長帯状又は細長筒状の縁布とで形成されると共に、前記縁布を、傘布表面側で隣接傘面布の仕切りとなる筒状帯に縫着して形成したことを特徴とするものである。
【０００７】
而して前記傘を開いた際の傘布は、放射状の仕切り筒状帯の間に三角形の傘面布が配置されているデザインとなるものである。而も前記のデザインは、傘面布にも適用できるし、所望の色の仕切り筒状帯を採用することで、デザインの多様性及び汎用性を確保できる。また隣接傘面布の縫着を筒状帯と共に行うので、縫着箇所を堅牢にできる。
【０００８】
また本考案（請求項２）に係る傘は、前記の傘において、更に縁布と同一材質の布を、傘布の外周となる三角形の傘面布の底辺部に縁取りとなる筒状帯に縫着してなるもので、仕切り筒状帯と相俟って縁取り筒状帯を備えることになり、デザインの多様性をより以上確保できることになる。
【考案の効果】
【０００９】
本考案は上記の構成のとおり、三角形の傘面布間に仕切り筒状帯を設けた傘布を採用した傘で、傘の装飾性を高めると共に、傘面布と仕切り筒状帯の組み合わせでデザインを多様に選択できる汎用性を備えた傘装飾手段を提供できたものである。
【図面の簡単な説明】
【００１０】
【図１】本考案の実施例の全体の説明図。
【図２】同要部断面図。
【図３】同石突き箇所の斜視図。
【考案を実施するための形態】
【００１１】
次に本考案の実施形態について説明する。傘の基本構造は従前のものと同様に、中棒（図示せず）の上部に固定した上ロクロから放射状に傘骨Ａを張り出させ、中棒に上下移動自在に設けた下ロクロに傘骨Ａの中間部分を支持する受け骨を放射状に設けた傘骨組を備えている。
【００１２】
そして前記傘骨組において傘骨Ａを開いた際の傘骨全体を覆う傘布を、傘骨Ａに張着しているもので、本考案は、この傘布の改良に関するものである。
【００１３】
本考案の傘布は、傘面布１と、仕切り筒状帯２と、縁取り筒状帯３で構成される。傘面布１は、従前のものと同様に傘骨Ａの開傘状態に対応する三角であり、任意の色彩・模様を施したものである。
【００１４】
仕切り筒状帯２及び縁取り筒状帯３は、同一材質の細長帯状の縁布を縫着して形成するもので、仕切り筒状帯２は、傘面布１の側辺の長さに対応したもので、隣接する傘面布１を縫合する際に、前記縁布を傘布表面側でループ断面となるように、二つ折り状態で一緒に縫合し、隣接する傘面布１の仕切りとなるようにしたものである。
【００１５】
また縁取り筒状帯３は、細長帯状の縁布を傘布全体の外周となる三角形の傘面布１の底辺部に、前記底辺部を上下に挟み込むように二つ折りして、前記縁布がループ断面となるように前記底辺部に縫合して形成するものである。
【００１６】
而して前記の傘布は、石突Ｂが設けられる中心から傘面布１を放射状に仕切る仕切り帯状帯２が設けられると共に、外周縁が縁取り筒状帯３で縁取られることになる。
【００１７】
従って三角形の傘面布１が仕切れる新しいデザインの傘が提供できたと共に、例えば傘面布１に、異なる色彩模様が施された布を採用したとしても、仕切り筒状帯２によって統一感のあるデザインとなるもので、色々な組み合わせが可能な汎用性のある基本的デザインとなっているものである。
【００１８】
勿論縁取り筒状帯３の有無は任意であり、また仕切り筒状帯２と同一色を採用せずに異なる色彩しても良いことは勿論である。
【００１９】
尚仕切り筒状帯の形成に際しては、縁布を予めループ断面が形成された細長筒状の物を採用しても良い。更に傘骨組に傘布を張着する場合には、図３に示すように仕切り筒状帯２は石突Ｂの下方に扁平に折り曲げて差し入れておく。
【符号の説明】
【００２０】
１      傘面布
２      仕切り筒状帯
３      縁取り筒状帯
【図１】
0003181316.tif 000003
【図２】
0003181316.tif 000004
【図３】
0003181316.tif 000005